(57)【要約】      （修正有）【課題】人に対して怪我を負わせることがない、強固な構成を有するソーラーパネル用フレームを提供する。【解決手段】本体１１と、側面に開口を備えると共に、該本体の上部に設けられる取付部１２と、該取付部の下方に位置するように該本体に貫穿される組立口１３と、両側にそれぞれ面取部１５が形成されると共に、該組立口の下部から横方向へ向かって延出するプレート１４を有する４つのフレームビーム１０と、外側にアーク部２２を設ける。さらに、前記フレームビームの外部に位置するベース２１と、前記取付部の開口と連通するように連結される開口２６を備えると共に、該ベースの上部に設けられるへこみ部と、該へこみ部の下方両側からそれぞれ外側へ向かって延設され、該フレームビームの組立口に挿入される組立アーム２４を有する、該フレームビームを連結するための４つの連結部材２０とにより構成する。【選択図】図１
0003155564.tif 000002
【実用新案登録請求の範囲】
【請求項１】
本体と、側面に開口を備えると共に、該本体の上部に設けられる取付部と、該取付部の下方に位置するように該本体に貫穿される組立口と、両側にそれぞれ面取部が形成されると共に、該組立口の下部から横方向へ向かって延出するプレートを有する４つのフレームビームと、
外側にアーク部を備えると共に、前記フレームビームの外部に位置するベースと、前記取付部の開口と連通するように連結される開口を備えると共に、該ベースの上部に設けられるへこみ部と、該へこみ部の下方両側からそれぞれ外側へ向かって延設され、該フレームビームの組立口に挿入される組立アームを有する、該フレームビームを連結するための４つの連結部材とを含むことを特徴とするソーラーパネル用フレーム。
【請求項２】
前記連結部材における組立アームの内側に、凹凸状の緩み防止部が設けられることを特徴とする請求項１に記載のソーラーパネル用フレーム。
【請求項３】
隣接するフレームビームにおけるプレートの面取部は、互いに対応し合うことを特徴とする請求項１又は請求項２に記載のソーラーパネル用フレーム。
【考案の詳細な説明】
【技術分野】
【０００１】
本考案は、特にソーラーパネルを組み立てるためのフレームに関するものである。
【背景技術】
【０００２】
図４に示すように、従来のソーラーパネル用フレームは、４つのフレームビーム（９０）と４つの連結部材（８０）とを有するものである。
【０００３】
前記４つのフレームビーム（９０）はそれぞれ本体（９１）を有し、該本体（９１）の上半部には、側面に開口を有する、ソーラーパネルを保持するための取付部（９２）が形成され、該取付部（９２）の下方に組立口（９３）が設けられると共に、該組立口（９３）の下部に、組立口（９３）から横方向へ向かってプレート（９４）が延設され、該プレート（９４）は、前記開口と同一方向へ延出されるものである。更に、前記フレームビーム（９０）の両端には、夫々１つの面取部（９５）が形成され、該面取部（９５）は、フレームビーム（９０）の長手方向に対して４５度の角度を有し、前記取付部（９２）と組立口（９３）から、プレート（９４）まで連続的に形成されるものである。
【０００４】
前記各連結部材（８０）は、２つの組立アーム（８１）を組み合わせたＬ字形を呈するものであり、該各組立アーム（８１）に緩み防止部（８２）が設けられる。
【０００５】
図５に示すように、従来のソーラーパネル用フレームにおける連結部材（８０）は、２つの組立アーム（８１）をフレームビーム（９０）の組立口（９３）に挿入させることにより、２つのフレームビーム（９０）を連結するものであり、つまり、該連結部材（８０）は、２つのフレームビーム（９０）の内部に収納されると共に、隣接するフレームビーム（９０）の面取部（９５）同士が完全に接合されることから、隣接する２つのフレームビーム（９０）同士は、９０度の角度で組み合わされる。この構成によれば、ソーラーパネル用フレームを確実に組み立てることができる。
【考案の開示】
【考案が解決しようとする課題】
【０００６】
しかしながら、前記従来のソーラーパネル用フレームは、フレームビーム（９０）の角が９０度であり非常に鋭いので、人に対して怪我をさせてしまう虞あると共に、隣接するフレームビーム（９０）における４５度の角度を有する面取部（９５）による構成は、非常にずれ易いので、フレーム全体の強度を低下させる虞がある。さらに、前記隣接するフレームビーム（９０）における４５度の角度を有する面取部（９５）は、少しでもずれると、フレームの角が９０度にならないのみならず、前記連結部材（８０）とフレームビーム（９０）とからなる構成が不安定になってしまうといった欠点があった。
【０００７】
そこで、案出されたのが本考案であって、人に対して怪我をさせることのない、強固な構成を有するソーラーパネル用フレームを提供することを目的としている。
【課題を解決するための手段】
【０００８】
本願の請求項１の考案は、本体と、側面に開口を備えると共に、該本体の上部に設けられる取付部と、該取付部の下方に位置するように該本体に貫穿される組立口と、両側にそれぞれ面取部が形成されると共に、該組立口の下部から横方向へ向かって延出するプレートを有する４つのフレームビームと、
外側にアーク部を備えると共に、前記フレームビームの外部に位置するベースと、前記取付部の開口と連通するように連結される開口を備えると共に、該ベースの上部に設けられるへこみ部と、該へこみ部の下方両側からそれぞれ外側へ向かって延設され、該フレームビームの組立口に挿入される組立アームを有する、該フレームビームを連結するための４つの連結部材とを含むことを特徴とするソーラーパネル用フレーム、を提供する。
【０００９】
本願の請求項２の考案は、前記連結部材における組立アームの内側に、凹凸状の緩み防止部が設けられることを特徴とする請求項１に記載のソーラーパネル用フレーム、を提供する。
【００１０】
本願の請求項３の考案は、隣接するフレームビームにおけるプレートの面取部は、互いに対応し合うことを特徴とする請求項１又は請求項２に記載のソーラーパネル用フレーム、を提供する。
【考案の効果】
【００１１】
本考案は上記の課題を解決するものであり、アーク部により、フレームの角が滑らかになっているので、人に対して怪我を負わせることがないと共に、連結部材がフレームビームの外部に位置し、ズレ難くなっているので、簡単に組立てることができる。故に、この構成によれば、組み立てられたソーラーパネル用フレームの安全性と強度を向上させることができる。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係るソーラーパネル用フレームの部分分解斜視図であり、図２は本考案に係るソーラーパネル用フレームの組立工程を示す部分平面図であり、図３は本考案に係るソーラーパネル用フレームの平面図である。
【００１４】
図１乃至図３に示すように、本考案に係るソーラーパネル用フレームは、４つのフレームビーム（１０）と、フレームの角に位置し、四つ角でそれぞれ２つのフレームビーム（１０）を連結するための４つの連結部材（２０）とを有するものである。
【００１５】
前記４つのフレームビーム（１０）は、細長い本体（１１）と、取付部（１２）と、組立口（１３）と、プレート（１４）とを有し、その内、該本体（１１）の両端に夫々互いに平行な端面（１６）が形成される。
前記取付部（１２）は、側面にソーラーパネルを保持するための開口を備えると共に、前記本体（１１）の上部に設けられる。
前記組立口（１３）は、前記取付部（１２）の下方に位置するように前記本体（１１）に貫穿され、また、該本体（１１）の両端に夫々、該組立口（１３）と連通される開口が形成される。
前記プレート（１４）は、２つの面取部（１５）を備えると共に、前記組立口（１３）の下部から横方向へ向かって延出し、該２つの面取部（１５）は夫々、プレート（１４）の両側をコーナーカットしてなるものである。さらに、前記本体（１１）の端面（１６）と面取部（１５）とのなす角（θ）が１３５度であってもよい。
【００１６】
前記各連結部材（２０）は、柱状のベース（２１）と、へこみ部（２３）と、２つの組立アーム（２４）とを有するものである。
【００１７】
その内、前記ベース（２１）は、外側にアーク部（２２）を備えると共に、前記フレームビーム（１０）の外部に位置するものである。尚、前記アーク部（２２）は、フレームの角に位置することが好ましい。
前記へこみ部（２３）は、前記取付部（１２）の開口と連通するように連結される開口（２６）を備えると共に、前記ベース（２１）の上部に設けられるものであり、前記へこみ部（２３）の開口（２６）は、前記取付部（１２）の開口と連通し、該開口と共に、ソーラーパネルを保持するものである。
前記２つの組立アーム（２４）の間は、９０度の角度を有すると共に、該各組立アーム（２４）は、前記へこみ部（２３）の下方に位置し、前記フレームビーム（１０）の組立口（１３）に挿入されるように延出するものである。即ち、前記連結部材（２０）とフレームビーム（１０）とを組み立てる時は、該連結部材（２０）の組立アーム（２４）が、フレームビーム（１０）の内部に収容されるが、連結部材（２０）のベース（２１）は、該フレームビーム（１０）の外部におけるそれぞれの角に位置する。
【００１８】
前記連結部材（２０）の組立アーム（２４）の内側に凹凸状の緩み防止部（２５）が形成され、これにより、該組立アーム（２４）をフレームビーム（１０）の組立口（１３）に挿入する時、緩み防止部（２５）が組立口（１３）の内周壁と接触し摩擦するので、緩み防止効果を発揮し、前記連結部材（２０）とフレームビーム（１０）とからなる構成の強度をより高めることができる。尚、隣接するフレームビーム（１０）におけるプレート（１４）の面取部（１５）同士は、互いに対応するものであることが好ましい。
【００１９】
本考案のソーラーパネルを組み立てる時は、先ずソーラーパネルの周縁をフレームビーム（１０）の取付部（１２）に嵌め込み、その後順次に該フレームビーム（１０）と連結部材（２０）を組み立てて、ソーラーパネルの周縁においてフレームを構成させる。尚、この時、前記ソーラーパネルの周縁は、前記フレームビーム（１０）の取付部（１２）及びへこみ部（２３）に嵌め込まれる。
【産業上の利用可能性】
【００２０】
本考案は上記の構成を有するので、フレームビームと連結部材とがソーラーパネル用フレームを構成することができる。また、フレームの角には、連結部材のアーク部が設けられるので、作業員に対して怪我を負わせることはなく、前記連結部材のベースは、隣接するフレームビーム同士の端面と隣接することから、従来のものよりも簡単に位置決めすることができるので、部品同士の位置ズレを防ぐことができる。故に、さらに本考案に係るソーラーパネル用フレームの構造上の強度を向上させることができると共に、安全性と歩留まりも向上させることができる。
【図面の簡単な説明】
【００２１】
【図１】本考案に係るソーラーパネル用フレームの部分分解斜視図である。
【図２】本考案に係るソーラーパネル用フレームの組立工程を示す部分平面図である。
【図３】本考案に係るソーラーパネル用フレームの平面図である。
【図４】従来のソーラーパネル用フレームの部分分解斜視図である。
【図５】従来のソーラーパネル用フレームの組立工程を示す部分平面図である。
【符号の説明】
【００２２】
１０      フレームビーム
１１      本体
１２      取付部
１３      組立口
１４      プレート
１５      面取部
１６      端面
２０      連結部材
２１      ベース
２２      アーク部
２３      へこみ部
２４      組立アーム
２５      緩み防止部
２６      開口
８０      連結部材
８１      組立アーム
８２      緩み防止部
９０      フレームビーム
９１      本体
９２      取付部
９３      組立口
９４      プレート
９５      面取部
【図１】
0003155564.tif 000003
【図２】
0003155564.tif 000004
【図３】
0003155564.tif 000005
【図４】
0003155564.tif 000006
【図５】
0003155564.tif 000007